(57)【要約】      （修正有）【課題】多種多様な規格・サイズのガスコンロに対応して火力向上が図れ、また、バーナーを用いるその他の燃焼器にも幅広く適用でき、燃料の大幅節約を図れる火力補助具を提供する。【解決手段】バーナー部の周囲に配置される筒状のフード１１と、このフード１１の周壁１１ａの上端部間に複数または多数箇所に網目状に架設され、バーナー部３からの火炎により加熱される線材１２とを有し、フード１１に高さ調整機構１３を設け、高さ調整機構１３により、支持面からのバーナー部３の高さに合わせて、支持面からのフード１１の線材１２の高さ位置を調整する。線材１２は、ニッケル・クロム系、鉄・クロム系等の金属線材またはタングステン、モリブテン等の単体の金属線材から構成する。【選択図】図１
0003147152.tif 000002
【実用新案登録請求の範囲】
【請求項１】
バーナー部の周囲に配置される筒状のフードと、このフードの周壁の上端部間に複数または多数箇所に架設され、バーナー部からの火炎により加熱される線材とを有し、前記フードに高さ調整機構が設けられていることを特徴とする火力補助具。
【請求項２】
前記高さ調整機構は、フードの外周面に３箇所以上に亘り取り付けられるナット部材と、各ナット部材に螺合し、前記フードを支持面から所定の高さに保持するボルト部材とから構成されていることを特徴とする、請求項１記載の火力補助具。
【請求項３】
前記高さ調整機構により、前記線材が、バーナー部の火炎口から出る火炎の芯に当たる位置に配設されることを特徴とする請求項１または請求項２記載の火力補助具。
【請求項４】
前記高さ調整機構により、フード下端面とその支持面との間に空気取入れ口が形成されることを特徴とする、請求項１ないし請求項３のいずれか一項に記載の火力補助具。
【請求項５】
前記フードが、周壁の上端部間に線材が複数または多数箇所に架設された上部フード部材と、上フード部材に対し嵌合される下フード部材とから構成され、上フード部材に対する下フード部材の嵌合量が調整可能とされていることを特徴とする請求項１ないし請求項４のいずれか一項に記載の火力補助具。
【請求項６】
前記線材は、前記フードを平面視して、網目状に配設されていることを特徴とする請求項１ないし請求項５のいずれか一項に記載の火力補助具。
【考案の詳細な説明】
【技術分野】
【０００１】
本考案は、火力の向上が図れ、また、燃料の供給量を少量に絞っても十分な火力が得られ、燃料の節約が図れる火力補助具に関するものである。
【背景技術】
【０００２】
従来一般のコンロ、例えばガスコンロは、五徳の上に置いた鍋と五徳との間の隙間が大きく、そのため、バーナー部からの火炎熱が隙間から放散し、熱効率が低かった。このため、ガスコンロの熱効率を高めるための工夫が種々なされている。例えば、五徳の内側に逆円錐状反射板を設けて、バーナー部からの火熱を五徳周辺の隙間から放散させないようにしたもの（特許文献１）や、五徳の形状をフード形にしたもの（特許文献２）等が提案されている。
【特許文献１】登録実用新案第３００４３１１号公報
【特許文献１】特開平９−２７６１５０号公報
【考案の開示】
【考案が解決しようとする課題】
【０００３】
しかしながら、上記の提案は、いずれも、ガスコンロの五徳の隙間から火炎熱が放散するのを防ぎ、また、風による立ち消えを防ぐだけのものであった。
【０００４】
一方、市販の家庭用・業務用のガスコンロは種々の規格・サイズがあり、ガスコンロの五徳の高さに対し、バーナー部の高さが常に一定であるとは限らず、１台でそれぞれに対応して火力アップできる火力補助具があれば便利である。さらに、近年の燃料費の高騰により、ガスコンロだけでなく、バーナーを用いる給湯器等、その他の燃焼器でも、燃料費節約のニーズが高い。
【０００５】
本考案は、前記事情に鑑みてなされたもので、その目的とするところは、多種多様な規格・サイズのガスコンロに対応して火力向上が図れ、また、バーナーを用いるその他の燃焼器にも幅広く適用でき、燃料の大幅節約を図れる火力補助具を提供することにある。
【課題を解決するための手段】
【０００６】
上記課題を解決するために、本考案の請求項１に係る火力補助具は、バーナー部とその周囲に配置される筒状のフードと、このフードの周壁の上端部間に複数または多数箇所に架設され、バーナー部からの火炎により加熱される線材とを有し、前記フードに高さ調整機構を設けたことを特徴とする。
【０００７】
請求項１に係る火力補助具によると、バーナー部の周囲に配置される筒状のフードが、熱の放散を防止し、バーナー部の火炎熱を筒状のフードの内側に集約する。同時に、フードの周壁の上端部間に架設された線材が、バーナー部からの火炎熱により高温に加熱され、高温に加熱された線材により、火炎の不完全燃焼部分（火炎の芯の周囲の部分）の完全燃焼化が促進され、火力が向上する。その結果、バーナー部に供給する燃料を少量に絞っても、十分な火力が得られ、燃料が節約される。
【０００８】
同時に、フードに設けた高さ調整機構により、バーナー部の高さに合わせて、線材の高さを調整し、バーナー部の高さの高低差の有無に関わらず、高さ調整機構により、線材を火炎中に常に配置でき、多種多様な規格・サイズのガスコンロに対応して火力向上が図れる。また、例えば、火炎の量を小さく絞るのに合わせて、高さ調整機構により、線材の高さを低く設定し、線材を火炎中に常に配置し、火力を向上させ、十分な火力を得ながら、燃料の大幅節約が図れる。
【０００９】
また、フードに設けた高さ調整機構により、線材の高さを調整することにより、ガスコンロだけでなく、バーナー部が設置されるガス湯沸し器等の給湯器、その他の燃焼器にも広く設置できる。
【００１０】
線材は、ニッケル・クロム系、鉄・クロム系等の金属線材またはタングステン、モリブテン等の単体の金属線材から構成されることが望ましい。これらの線材は、１０００℃付近あるいはそれ以上の高温下での使用に耐え、バーナー部からの火炎に対する耐熱性を確保できる。
【００１１】
線材は、撚り線加工が施されていることが望ましい。火炎により加熱された線材が膨張し、その後収縮し、膨張と収縮を繰り返して断線されることを防止でき、線材の耐久性を長期間維持できる。線材としては、幅１．５ｍｍ〜２ｍｍ程度の平線等が用いられる。
【００１２】
フードの周壁には、耐熱塗料が塗布されていることが望ましい。スチール製フードの装飾性および耐熱性を高めることができる。耐熱塗料は、５００℃〜６００℃程度の耐熱性があればよい。塗料の色は、黒色、灰色、茶色、青色等が好適である。
【００１３】
請求項２記載の火力補助具は、高さ調整機構が、フードの外周面に３箇所以上に亘り取り付けられるナット部材と、各ナット部材に螺合し、前記フードをその支持面から所定の高さに支持するボルト部材とから構成されていることを特徴とする。
【００１４】
ナット部材とボルト部材とにより、フードを、バーナー部に対して、その周囲の支持面から所望の高さに安定支持させ、また、火炎の高さに合わせて、フードの高さを容易に調整できる。
【００１５】
請求項３記載の火力補助具は、高さ調整機構により、前記線材が、バーナー部の火炎口から出る火炎の芯に当たる位置に配設されることを特徴とする。
【００１６】
火炎の芯部分は、完全燃焼部分であり、熱カロリーが最も高い部分である。高さ調整機構により、当該芯部分に当たるように線材の高さを調整することで、線材に伝達される熱カロリーを最大とし、高温に加熱された線材を介しての、火炎の芯の周囲の不完全燃焼部分を、より一層完全燃焼化できる。また、バーナー部に供給する燃料を少量に絞ると、火炎の高さも低くなるが、高さ調整機構により線材の位置を低く下げて、線材の高さを容易に火炎の芯に合わせることができる。
【００１７】
請求項４記載の火力補助具は、前記高さ調整機構により、フード下端面とその支持面との間に空気取入れ口が形成されることを特徴とする。
【００１８】
請求項４記載の火力補助具によると、フード下端面とその支持面との間に空気取入れ口が形成されることにより、フード内に安定的に空気を取り入れ、バーナー部の火力を安定させることができる。
【００１９】
請求項５記載の火力補助具は、前記フードが、周壁の上端部間に線材が複数または多数箇所に架設された上部フード部材と、上フード部材に対し嵌合される下フード部材とから構成され、上フード部材に対する下フード部材の嵌合量が調整可能とされていることを特徴とする。
【００２０】
請求項５記載の火力補助具によると、上フード部材に対する下フード部材の嵌合量を調整することにより、支持面に対する線材の高さを、バーナー部の高さに合わせて調整することができる。一例として、両フード部材の相対する面に雌ねじ・雄ねじを切り、両部材の螺合により嵌合量を調整できる。
【００２１】
請求項６記載の火力補助具は、前記線材が、前記フードを平面視して、網目状に配設されることを特徴とする。
【００２２】
請求項６記載の火力補助具によると、前記線材が網目状に配設されることにより、各線材がバーナー部の火炎口から出る各炎の全体に対し効率よく加熱され、各炎の火力を効率よくアップさせることができる。
を特徴とする。
【考案の効果】
【００２３】
以上説明したように、本考案に係る火力補助具は、フードの上端に架設した線材をバーナー部からの炎で高温に加熱することにより、火炎の完全燃焼化を促進し、また、フードに設けた高さ調整機構により、種々の規格・サイズのガスコンロやその他の燃焼器に対応して、火力をアップさせ、バーナー部に供給する燃料を少量に絞りながら十分な火力を確保し、もって燃料の大幅節約を図れるという優れた効果を奏する。
【考案を実施するための最良の形態】
【００２４】
以下、本考案の実施の形態を、図面を参照して説明する。
図１ないし図５は本考案の一実施形態を示すもので、符号１０は、火力補助具を示している。
【００２５】
火力補助具１０は、図１に示すように、円筒状のフード１１と、このフード１１の上端部に架設される線材１２とから構成され、フードの外周面に複数の高さ調整機構１３が設けられている。フード１１は、上下に開口する円筒形のスチール製のもので、フード１１の周壁１１ａの上端部には、図１に示すように、周方向に沿って、線材１２を通す多数個の孔１４が穿孔されている。また、フード１１の周壁１１ａの下部には周方向に沿って複数の空気取入れ口１５が設けられている。
【００２６】
前記線材１２は、幅１．５ｍｍ程度の平線からなる金属線材に撚り線加工が施されたもので、図２に示すように、フード１１を平面視して、フード１１の上方開口部に網目状に配設されている。すなわち、フード１１の周壁１１ａの上端部に穿孔された各孔１４に線材１２が通されて、フード１１の周壁１１ａの相対する上端部間に多数箇所架設されている。
【００２７】
前記線材１２の材質は、１０００℃付近あるいはそれ以上の高温で使用できる、ニッケル・クロム系のほか、鉄・クロム系の金属線材、タングステン、モリブテンなどの単体の金属線材を用いることができる。
【００２８】
前記フード１１、後述するナット１６、ボルト部材１７には、スチール製からなるそれらの部材の各耐熱性を高めるために、耐熱塗料が塗布されている。耐熱塗料の例としては、５００℃〜６００℃程度、さらには、７００℃〜１０００℃程度の高温に耐えられるコロイダルシリカ、酸・アルカリ系の無機バインダーを主体とした無機高分子系の耐熱塗料が用いられる。耐熱塗料の色には、黒色、灰色、茶色、青色などの色が用いられる。なお、フード１１の材質としては、耐熱性に優れるセラミックス製あるいは炭素鋼、さらにはステンレス製のものを用いることが可能である。
【００２９】
前記高さ調整機構１３は、図１および図２に示すように、フード１１の外周面の下端部に３箇所以上（図示例の場合は周方向に４箇所）に亘り取り付けられたナット（ナット部材）１６・・・と、各ナット１６・・・に螺合されるボルト部材１７・・・とから構成されている。各ナット１６の孔１６ａには雌ねじが切られ、各ボルト部材１７の軸部１７ａには雄ねじが切られており、フード１１の外周面に取り付けられた各ナット１６の孔１６ａに対し、各ボルト部材１７の軸部１７ａを上向きに螺合して、各ボルト部材１７の頭部１７ｂを図３に示すガスコンロ１の支持面に当接させた状態で、フード１１を支持面から所定の高さに支持させるようになっている。
【００３０】
図３は、上記構成の火力補助具１０をガスコンロ１にセットし、火力補助具１０を使用している状態を示している。同図に示すように、ガスコンロ１は、ガスコンロ本体２の上面２ａに凹所２ｂが形成されており、同凹所２ｂの中央に、支持面から所定の高さＨ０を有する凸形のガスバーナー部３が配置され、同ガスバーナー部３の周囲であって、前記凹所２ｂの隅部に五徳４が設置されている。なお、符号５は五徳４に載せた鍋を示している。
【００３１】
上記構成の火力補助具１０は、そのフード１１が、ガスコンロ１の凹部２ｂの、ガスバーナー部３の周囲でかつ五徳４の内側の支持面上に、高さ調整機構１３により、線材１２が支持面から所定の高さＨ１に支持されている。
【００３２】
上記高さ調整機構１３は、各ボルト部材１７を正逆方向に回転して、各ボルト部材１７の、フード１１下端面からの突出量Ｌ１を調整することにより、ガスコンロ１の支持面からのフード１１の線材１２の高さＨ１を調整することができる。また、高さ調整機構１３により、フード１１の下端面と支持面との間には第２の空気取入れ口１９が設けられている。
【００３３】
次に、上記構成の火力補助具１０の使用方法とその作用について説明する。
【００３４】
まず、支持面１８からのバーナー部３の上面高さＨ０に合わせて、フード１１の下端面からの各ボルト部材１７の突出量Ｌ１を調整し、図３に示すように、ガスコンロ本体２の凹所２ｂの支持面上に、各ボルト部材１７の頭部１７ｂを下にして火力補助具１０を支持させる。線材１２の支持面からの高さＨ１は、高さ調整機構１３により、図５（Ａ）に示す弱火の状態の火炎Ｋの芯Ｃを通る中心線Ａにくるように予め調整する。次いで、五徳４の上に例えば水を入れた鍋５を載せる。
【００３５】
ガスコンロ1の点火スイッチ６（図４参照）を押してガスに着火し、火炎Ｋの大きさを火力調整つまみ８（図４参照）によって弱火に調整する（つまみ８の位置を最小位置に合わせる）と、弱火の火炎Ｋの芯Ｃを通るように火力補助具１０の線材１２が配設されているので、線材１２が真赤に加熱され、真赤に加熱された線材１２によってガスの不完全燃焼部分が完全燃焼化され、元の火炎Ｋ（図５（Ａ）参照）に比べ、火炎Ｋ’が大きくなり（図５（Ｂ）参照）、火力がアップする。
【００３６】
ガスバーナー部３からの火炎熱は、鍋５の鍋底を通して鍋５中の水に伝達され、中の湯が沸騰する。その間、図３に示すように、ガスバーナー部３の周囲を囲むフード１１が火炎熱の放散を防止し、また、フード１１の周壁１１ａの空気取り入れ口１５，１９から空気（酸素）が取入れられ、ガスが安定燃焼される。そして、鍋５の中の水が早期に沸騰し、ガス燃料の大幅節約が可能となる。
【００３７】
図６は、本考案の第２実施形態を示すもので、本実施形態の火力補助具２０は、フード２１が、円筒形の上部フード部材２２と、この上フード部材２２に対し嵌合される円筒形の下フード部材２３とから構成され、上部フード部材２２の周壁の上端部に孔２４が等ピッチで周方向に沿って設けられ、線材１２が孔２４に通されて、網状に張設されている。
【００３８】
上フード部材２２の下部内周面には雌ねじ部（図示せず）が設けられ、下フード部材２３の上部外周面には雌ねじ部に螺合する雄ねじ部２３ａが設けられている。そして、上フード部材２２に対し、下フード部材２３を嵌合させて回転させることにより、上フード部材２２に対する下フード部材２３の嵌合量Ｌ２を調整し、支持面からの線材１２の高さを調整できるようになっている。上フード部材２２側の雌ねじ部と、下フード部材２３側の雄ねじ部２３ａは、高さ調整機構を構成する。
【００３９】
図７は、本考案の第３実施形態を示すもので、本実施形態の火力補助具３０は、フード３１を角筒形にし、フード３１の外周面上端に設けた孔３２に対し線材１２を網状に架設し、外周面下部に空気取り入れ口３３を大きく開口させたものである。フード３１の足部分の外面に対し、図１に示す高さ調整機構１３を取り付け可能である。
【００４０】
図８は、本考案の第４実施形態を示すもので、火力補助具４０を、給湯器５０の内部のガスバーナー部５１の周囲に設置したものである。給湯器５０は、ガスバーナー部５１の上方に熱交換部５２が配置され、配管５３の上流側から流れる水を配管途中の熱交換部５２においてガスバーナー部５１からの火炎熱によって加熱し、配管５３の下流側に温水を供給するようになっている。
【００４１】
本実施形態の給湯器５０によると、ガスバーナー部５１の周囲に火力補助具４０のフード４１を配置し、高さ調整機構４２で高さ調整された線材１２を火炎Ｋに当てることにより火力をアップさせ、ガスバーナー部５１に供給する燃料を絞りながら、十分な温度の温水を生成でき、燃料の節約を図ることができる。本実施形態の給湯器５０としては、一般家庭の台所用、風呂用の給湯器、業務用の給湯器などがある。
【００４２】
図９は、本考案の第５実施形態を示すもので、鍋５’の鍋底に火力補助具６０のフード６１を溶接等により固定したものである。この場合、火力補助具６０の線材１２は、フード６１の上端ではなく、上下端の中間位置に設けた孔６２間に張設される。また、使用後の鍋５’を水洗いする際に、火力補助具６０に水がかからないように、その外側をワンタッチ着脱式の防水蓋６３で覆うことができる。符号６４は、防水蓋６４の内周面上端に設けられ、鍋５’の底付近の外周面に周設された係止溝に対しワンタッチで係止可能な係止突条である。
【００４３】
かかる火力補助具６０付き鍋５’は、風が起こり易いアウトドア用途が適している。鍋底のフード６１で風による炎を立ち消えを防ぎ、線材１２で火力をアップさせ、カセット式コンロであっても、十分な火力を得ることができる。
【００４４】
かくして、本考案によれば、種々の規格・サイズのガスコンロやその他の燃焼器に対応して、火力をアップできる火力補助具を実現して、燃料の大幅節約を図ることができ、本考案の火力補助具によって、環境に優しい社会を実現し、ＣＯ２の低減にも寄与することが可能である。
【産業上の利用可能性】
【００４５】
本考案に係る火力補助具は、コンロや給湯器等のバーナーによる火力を補助し、燃料の節約を図れる火力補助具として、また、燃焼機関の火力補助具としても利用可能である。
【図面の簡単な説明】
【００４６】
【図１】本考案の第１実施形態を示す火力補助具の全体斜視図である。
【図２】図２に示す火力補助具の平面図である。
【図３】図１に示す火力補助具をガスコンロに設置しての使用状態を示すもので、一部を断面視した側面図である。
【図４】ガスコンロの側面図である。
【図５】火力補助具の作用を説明する図で、（Ａ）は火力補助具を設置する前の火炎を示す図、（Ｂ）は火力補助具を設置した後の火炎を示す図である。
【図６】本考案の第２実施形態を示す火力補助具の全体斜視図である。
【図７】本考案の第３実施形態を示す火力補助具の全体斜視図である。
【図８】本考案の第４実施形態を示すもので、給湯器内に火力補助具を設置した例を示す図である。
【図９】本考案の第５実施形態を示すもので、鍋底に火力補助具を取り付けた例を示す図である。
【符号の説明】
【００４７】
１  ガスコンロ（コンロ）
２  ガスコンロ本体
２ａ  上面
２ｂ  凹所
３，５１  ガスバーナー部（バーナー部）
４  五徳
５，５’  鍋
６  点火スイッチ
７  火炎口
８  火力調整つまみ
１０，２０，３０，４０，６０  火力補助具
１１，２１，３１，４１，６１  フード
１１ａ  周壁
１２  線材
１３，４２  高さ調整機構
１４，１６ａ，２４，３２，６２  孔
１５，１９，３３  空気取入れ口
１６  ナット（ナット部材）
１７  ボルト部材
１７ａ  軸部
１７ｂ  頭部
１８  支持面
２２  上部フード部材
２３  下部フード部材
２３ａ  雄ねじ部
５０  給湯器
５２  熱交換部
５３  配管
６３  防水蓋
６４  係合突起
Ｋ，Ｋ’  火炎
Ｃ  芯
Ａ  芯を通る中心線
Ｈ０  支持面からガスバーナー部上面までの高さ
Ｈ１  支持面から線材までの高さ
Ｌ１  フード下端面からのボルト部材の突出量
Ｌ２  上フード部材に対する下フード部材の嵌合量
【図１】
0003147152.tif 000003
【図２】
0003147152.tif 000004
【図３】
0003147152.tif 000005
【図４】
0003147152.tif 000006
【図５】
0003147152.tif 000007
【図６】
0003147152.tif 000008
【図７】
0003147152.tif 000009
【図８】
0003147152.tif 000010
【図９】
0003147152.tif 000011